(57)【要約】【課題】構造を簡素化できると共に装置の小型化を図ることができるスイングレジスタ装置を提供する。【解決手段】スイングレジスタ装置１０は、下流端が空調風の吹出口２６Ａとして開口された通風路２６を有するレジスタケース１２と、通風路２６に回動可能に設けられたブレード１４と、ブレード１４を往復回動（スイング動作）させるための駆動ユニット１８及び伝達機構２２とを備える。駆動ユニット１８には、一対の電極３０，３１が通電された場合に長手方向に収縮し、一対の電極３０，３１への通電が停止された場合に長手方向に伸長可能となるように構成された可動部材３２と、この可動部材３２を長手方向に伸長させるように付勢するスプリング３４とを備える。この構成によれば、ブレード１４を往復回動させる構成として、一つの可動部材３２が用いられている。従って、従来の構成に比して、構造を簡素化できると共に装置の小型化を図ることができる。【選択図】図４
2010078209.tif 000002
【特許請求の範囲】
【請求項１】
下流端が空調風の吹出口として開口された通風路を有するレジスタケースと、
前記通風路に回動可能に設けられ、前記吹出口から吹き出される空調風の風向を変更するブレードと、
長手方向に離間した位置に一対の電極が接続されると共に、前記一対の電極が通電された場合に長手方向に収縮し、前記一対の電極への通電が停止された場合に長手方向に伸長可能となるように構成された可動部材と、
前記可動部材を長手方向に伸長させるように付勢する付勢部材と、
前記可動部材の長手方向の伸縮に応じて前記ブレードを往復回動させる伝達機構と、
を備えたスイングレジスタ装置。
【請求項２】
前記ブレードに所定以上の外力が加えられた場合に前記可動部材と前記ブレードとの接続を切り離すためのクラッチ機構を備えた、
請求項１に記載のスイングレジスタ装置。
【発明の詳細な説明】
【技術分野】
【０００１】
本発明は、スイングレジスタ装置に関する。
【背景技術】
【０００２】
従来、スイングレジスタ装置としては、通電加熱により収縮する二本の形状記憶合金を備え、この二本の形状記憶合金の伸縮に応じてブレードを往復回動させるように構成されたものが知られている（例えば、特許文献１〜特許文献３参照）。
【特許文献１】特開２００７−１５５１４８号公報
【特許文献２】特開２００７−１５５１４９号公報
【特許文献３】特開２００８−１５５８７０号公報
【発明の開示】
【発明が解決しようとする課題】
【０００３】
しかしながら、上記各スイングレジスタ装置では、いずれも二本の形状記憶合金が用いられていると共に、各形状記憶合金にそれぞれ付随する構成が備えられている。このため、構造が複雑化すると共に装置が大型化するという問題がある。
【０００４】
本発明は、上記課題に鑑みてなされたものであって、構造を簡素化できると共に装置の小型化を図ることができるスイングレジスタ装置を提供することを目的とする。
【課題を解決するための手段】
【０００５】
前記課題を解決するために、請求項１に記載のスイングレジスタ装置は、下流端が空調風の吹出口として開口された通風路を有するレジスタケースと、前記通風路に回動可能に設けられ、前記吹出口から吹き出される空調風の風向を変更するブレードと、長手方向に離間した位置に一対の電極が接続されると共に、前記一対の電極が通電された場合に長手方向に収縮し、前記一対の電極への通電が停止された場合に長手方向に伸長可能となるように構成された可動部材と、前記可動部材を長手方向に伸長させるように付勢する付勢部材と、前記可動部材の長手方向の伸縮に応じて前記ブレードを往復回動させる伝達機構と、を備えている。
【０００６】
この請求項１に記載のスイングレジスタ装置では、一対の電極が通電されると、可動部材が長手方向に収縮する。一方、一対の電極への通電が停止されると、可動部材が長手方向に伸長可能となり、付勢部材の付勢力によって可動部材が長手方向に伸長される。そして、このようにして可動部材が長手方向に伸縮されると、ブレードが伝達機構によって往復回動（スイング動作）され、吹出口から吹き出される空調風の風向が変更される。
【０００７】
ここで、請求項１に記載のスイングレジスタ装置では、上述のように、ブレードを往復回動させる構成として、一つの可動部材が用いられている。従って、従来の構成に比して、構造を簡素化できると共に装置の小型化を図ることができる。
【０００８】
請求項２に記載のスイングレジスタ装置は、請求項１に記載のスイングレジスタ装置において、前記ブレードに所定以上の外力が加えられた場合に前記可動部材と前記ブレードとの接続を切り離すためのクラッチ機構をさらに備えたものである。
【０００９】
この請求項２に記載のスイングレジスタ装置によれば、ブレードに所定以上の外力が加えられた場合には、可動部材とブレードとの接続がクラッチ機構により切り離される。これにより、例えば、操作者がブレードを手動で回動させることにより、吹出口から吹き出される空調風の風向を変更させることが可能となる。
【発明の効果】
【００１０】
以上詳述したように、本発明によれば、従来の構成に比して、構造を簡素化できると共に装置の小型化を図ることができる。
【発明を実施するための最良の形態】
【００１１】
以下、図面を参照しながら、本発明のスイングレジスタ装置の一実施形態について説明する。
【００１２】
図１には、本発明の一実施形態に係るスイングレジスタ装置１０を備えた空調システムＳの全体構成が示されている。空調システムＳは、例えば、乗用自動車等の車両に好適に装備されるものであり、空調ユニット２と、ＥＣＵ４と、コントローラ６と、複数のスイングレジスタ装置１０とを備えている。スイングレジスタ装置１０はいずれも同一構成とされている。
【００１３】
図２には、このスイングレジスタ装置１０が詳細に示されている。スイングレジスタ装置１０は、レジスタケース１２と、ブレード１４，１６と、駆動ユニット１８，２０と、伝達機構２２，２４とを備えている。
【００１４】
レジスタケース１２は、筒状に構成されており、その内部は、通風路２６として形成されている。この通風路２６は、上流端が図示しないダクト等を介して上述の空調ユニット２の送風口と連通されると共に、下流端が空調風の吹出口２６Ａとして開口されている。
【００１５】
ブレード１４は、吹出口２６Ａから吹き出される空調風の風向を左右に変更するためのものであり、通風路２６における吹出口２６Ａ側の領域に配置されている。このブレード１４は、後述する伝達機構２２の回動レバー５２に形成された回動軸５８によってレジスタケース１２に回動可能に支持されている。
【００１６】
一方、ブレード１６は、吹出口２６Ａから吹き出される空調風の風向を上下に変更するためのものであり、通風路２６におけるブレード１４に対する吹出口２６Ａ側の領域に配置されている。このブレード１６は、後述する伝達機構２４の回動レバー７２に形成された回動軸７８によってレジスタケース１２に回動可能に支持されている。
【００１７】
駆動ユニット１８は、上述の左右風向変更用のブレード１４を往復回動（スイング動作）させるためのものであり、レジスタケース１２の上壁に固定されている。
【００１８】
図３には、この駆動ユニット１８の外観構成が示されており、図４には、この駆動ユニット１８の分解斜視図が示されている。これらの図に示されるように、駆動ユニット１８は、ケース２８と、一対の電極３０，３１と、可動部材３２と、付勢部材としてのスプリング３４と、ピン４６とを備えている。
【００１９】
ケース２８は、上側のケース３６と下側のケース３８とを有して構成されており、上側のケース３６には、直線状のガイド溝４０が形成され、下側のケース３８には、渦巻状の保持溝４１、固定穴４２、保持壁４３が形成されている。
【００２０】
一方の電極３０は、固定穴４２に挿入されると共に、ネジ４５及びナット４７により下側のケース３８に固定されている。一方、他方の電極３１は、下側のケース３８に形成された側壁４９と保持壁４３との間に挟持されている。この一対の電極３０，３１は、上述のＥＣＵ４から延びるワイヤーハーネス４４と接続されており、ＥＣＵ４によって通電される構成とされている。
【００２１】
可動部材３２は、例えば、チタン・ニッケル系合金等の形状記憶合金により構成されると共に、渦巻状に形成されており、上述の保持溝４１に収容されている。この可動部材３２の長手方向一端側は、上述の一方の電極３０とネジ４５及びナット４７により接続され、可動部材３２の長手方向他端側は、スプリング３４及びピン４６を介して他方の電極３１と接続されている。
【００２２】
また、この可動部材３２は、一対の電極３０，３１が通電された場合に、この一対の電極３０，３１によって加熱されて長手方向に収縮し、一対の電極３０，３１への通電が停止されて冷却された場合に、長手方向に伸長可能となるように構成されている。
【００２３】
スプリング３４は、他方の電極３１と可動部材３２の長手方向他端側との間に設けられており、可動部材３２を長手方向に伸長させるように付勢している。また、ピン４６は、スプリング３４と可動部材３２の長手方向他端側とを接続すると共に、上述のガイド溝４０に移動可能に挿入されている。
【００２４】
そして、この駆動ユニット１８では、一対の電極３０，３１が通電された場合、可動部材３２が長手方向に収縮してピン４６がＸ１方向に移動し、一対の電極３０，３１への通電が停止された場合、可動部材３２が長手方向に伸長可能となり且つスプリング３４の付勢力によって可動部材３２が伸長されてピン４６がＸ２方向に移動する構成とされている。
【００２５】
図２に示される駆動ユニット２０は、上述の上下風向変更用のブレード１６を往復回動（スイング動作）させるためのものであり、レジスタケース１２の側壁に固定されている。なお、この駆動ユニット２０は、上述の駆動ユニット１８と同一の構成とされており、その説明は省略する。
【００２６】
伝達機構２２は、上述の駆動ユニット１８の駆動力をブレード１４に伝達するためのものであり、連結部材４８と、スライド部材５０と、回動レバー５２とを備えている。
【００２７】
連結部材４８は、その長手方向に延びる連結溝５４を有して構成されており、この連結溝５４には、上述のピン４６が移動可能に挿入されている。
【００２８】
スライド部材５０は、連結部材４８の長手方向と直交する方向に延びる長手状に構成されており、連結部材４８と固定されている。
【００２９】
回動レバー５２は、一端側に設けられた回動軸５６を介してスライド部材５０に回動可能に連結されている。また、この回動レバー５２の他端側には、回動軸５８が一体に形成されており、この回動軸５８は、上述のブレード１４の延在方向における中央部に一体回動可能に固定されている。
【００３０】
伝達機構２４は、上述の駆動ユニット２０の駆動力をブレード１６に伝達するためのものであり、上述の伝達機構２２と同様に、連結部材６８と、スライド部材７０と、回動レバー７２とを備えている。この連結部材６８、スライド部材７０、回動レバー７２は、上述の伝達機構２２における連結部材４８、スライド部材５０、回動レバー５２と同様な構成とされており、その説明は省略する。
【００３１】
次に、本発明の一実施形態に係るスイングレジスタ装置１０の動作と併せてその作用及び効果について説明する。
【００３２】
本発明の一実施形態に係るスイングレジスタ装置１０では、一対の電極３０，３１が通電されると、可動部材３２が長手方向に収縮する。一方、一対の電極３０，３１への通電が停止されると、可動部材３２が長手方向に伸長可能となり、スプリング３４の付勢力によって可動部材３２が長手方向に伸長される。そして、このようにして可動部材３２が伸縮されることにより、ピン４６がガイド溝４０を往復移動する。
【００３３】
また、ピン４６がガイド溝４０を往復移動すると、連結部材４８及びスライド部材５０がピン４６と共に往復移動され、回動レバー５２が回動軸５８を支点として揺動される。そして、これにより、ブレード１４が往復回動（スイング動作）され、吹出口２６Ａから吹き出される空調風の風向が左右に変更される。
【００３４】
同様に、駆動ユニット２０に備えられた図示しない一対の電極が通電された状態と一対の電極への通電が停止された状態とに切り替えられると、同じく図示しない可動部材が伸縮され、この可動部材の長手方向他端側に設けられたピン６６がガイド溝６０を往復移動する。
【００３５】
また、ピン６６がガイド溝６０を往復移動すると、連結部材６８及びスライド部材７０がピン６６と共に往復移動され、回動レバー７２が回動軸７８を支点として揺動される。そして、これにより、ブレード１６が往復回動（スイング動作）され、吹出口２６Ａから吹き出される空調風の風向が上下に変更される。
【００３６】
ここで、本発明の一実施形態に係るスイングレジスタ装置１０では、上述のように、ブレード１４，１６をそれぞれ往復回動させる構成として、各駆動ユニット１８，２０に可動部材３２が一つずつ用いられている。従って、従来の構成に比して、構造を簡素化できると共に、装置の小型化、低コスト化、低質量化を図ることができる。
【００３７】
また、本発明の一実施形態に係るスイングレジスタ装置１０では、駆動ユニット１８，２０、伝達機構２２，２４を省くことで、ブレード１４，１６を電動でスイングさせない仕様とすることもできる。従って、複雑な構造変更や部品追加等を伴うことなく、ブレード１４，１６を電動でスイングさせる仕様と、ブレード１４，１６を電動でスイングさせない仕様との切替を容易に行うことができる。
【００３８】
次に、本発明の一実施形態に係るスイングレジスタ装置１０の変形例について説明する。
【００３９】
図５，図６には、本発明の一実施形態における駆動ユニット１８の変形例が示されている。この変形例では、上述の駆動ユニット１８が次のように変更されている。
【００４０】
つまり、図５に示されるように、ケース２８には、膨出部７７が形成され、ガイド溝４０は、この膨出部７７に形成されている。
【００４１】
また、図６に示されるように、可動部材３２には、クラッチ機構８０が一体に設けられている。クラッチ機構８０は、ブレード１４に所定以上の外力が加えられた場合に可動部材３２とブレード１４との接続を切り離すためのものであり、上述の膨出部７７に収容されている。このクラッチ機構８０は、第一スライドプレート８２と、第二スライドプレート８４と、スプリング８６とを備えている。
【００４２】
第一スライドプレート８２は、可動部材３２の長手方向他端側に一体移動可能に固定されており、山型の突起部９０を有して構成されている。
【００４３】
第二スライドプレート８４は、第一スライドプレート８２と対向して配置されており、上述のピン４６に加え、突起部９０と係止される凹部９２を有して構成されている。また、この第二スライドプレート８４は、下側のケース３８に形成されたガイド溝９４に移動可能に挿入されている。
【００４４】
スプリング８６は、第二スライドプレート８４と共にガイド溝９４に収容されており、第二スライドプレート８４を第一スライドプレート８２側に付勢している。
【００４５】
このような構成によれば、例えば操作者がブレード１４を手動で回動させる等によりブレード１４に所定以上の外力が加えられた場合には、突起部９０と凹部９２との係止状態が解除され、可動部材３２とブレード１４との接続が切り離される。これにより、例えば、操作者がブレード１４を手動で回動させることにより、吹出口２６Ａから吹き出される空調風の風向を左右に変更させることが可能となる。
【００４６】
なお、駆動ユニット２０についても、上記と同様にクラッチ機構８０が追加されても良いことは勿論である。
【００４７】
以上、本発明の一実施形態について説明したが、本発明は、上記に限定されるものでなく、その主旨を逸脱しない範囲内において種々変形して実施することが可能であることは勿論である。
【００４８】
また、上記実施形態において、可動部材３２は、形状記憶合金により構成されていたが、その他にも、例えば、形状記憶樹脂等により構成されていても良い。
【図面の簡単な説明】
【００４９】
【図１】本発明の一実施形態に係るスイングレジスタ装置を備えた空調システムの全体構成を示す図である。
【図２】図１に示されるスイングレジスタ装置の斜視図である。
【図３】図２に示される駆動ユニットの斜視図である。
【図４】図３に示される駆動ユニットの分解斜視図である。
【図５】本発明の一実施形態における駆動ユニットの変形例を示す図である。
【図６】図５に示される駆動ユニットの分解斜視図である。
【符号の説明】
【００５０】
１０  スイングレジスタ装置
１２  レジスタケース
１４，１６  ブレード
１８，２０  駆動ユニット
２２，２４  伝達機構
２６Ａ  吹出口
２６  通風路
３０，３１  電極
３２  可動部材
３４  スプリング（付勢部材）
８０  クラッチ機構
【図１】
2010078209.tif 000003
【図２】
2010078209.tif 000004
【図３】
2010078209.tif 000005
【図４】
2010078209.tif 000006
【図５】
2010078209.tif 000007
【図６】
2010078209.tif 000008